(57)【要約】本発明は、中央ユニット、入力装置、リモート・ネットワークとの通信インタフェース、及びディスプレイ、及び／又は音響再生手段を備えたコンピュータに関する。本発明は、実質的に、コンピュータが、ユーザの環境に既に存在する要素（例えば、携帯電話機、テレビ）から構成されうることを、特徴とする。
2004528785.tif 000002
【特許請求の範囲】
【請求項１】
中央ユニット、入力装置、リモート・ネットワークとの通信用のインタフェース、及びディスプレイ及び／又は音響再生手段を備えたコンピュータであって、以下の３つの独立した要素：
ａ）コンピュータプログラムを格納及び実行する手段並びにデータを格納する手段を含む前記中央ユニットを備えた第１の要素（２）、
ｂ）前記データ入力装置、リモート・ネットワーク（６）との通信用の前記インタフェース（１）、及び前記第１の要素とのワイヤレス伝送手段を備えた第２の要素（３）、
ｃ）前記ディスプレイ手段及び／又は前記音響再生手段、及び前記第１の要素への接続手段（９）を備えた第３の要素（１２）、
を備え、
前記第１の要素（２）は、縮小サイズ（ポケット型）であり、前記第３の要素（１２）への接続手段（９）と、前記第２の要素（３）により送信された信号及びそれぞれ受信された信号を受信及びそれぞれ送信する手段とをさらに備えたことを特徴とするコンピュータ。
【請求項２】
前記第２の要素（３）は、移動電話機であることを特徴とする請求項１記載のコンピュータ。
【請求項３】
前記第２の要素は、ポケットコンピュータ又はポケット電子ダイアリであることを特徴とする請求項１記載のコンピュータ。
【請求項４】
前記第２の要素は、携帯型コンピュータ、オフィスコンピュータ、又はサーバであることを特徴とする請求項１記載のコンピュータ。
【請求項５】
前記第３の要素（１２）は、通常のテレビ画面であることを特徴とする請求項１から４のいずれか一項に記載のコンピュータ。
【請求項６】
前記第１の要素（２）の接続手段（９）は、第３の要素（１２）の対応するＳＣＡＲＴソケットに接続するためのＳＣＡＲＴプラグからなることを特徴とする請求項５記載のコンピュータ。
【請求項７】
前記第１の要素（２）は、ＳＣＡＲＴソケットをさらに含む差込の形態をとることを特徴とする請求項６記載のコンピュータ。
【請求項８】
前記第１の要素（２）の接続手段（９）は、前記第３の要素（１２）における対応するコネクタに接続するための、アナログ又はデジタル形式での音声及びビデオ信号及び／又はデータのコネクタからなることを特徴とする請求項５記載のコンピュータ。
【請求項９】
前記第３の要素は、通常のコンピュータ画面又はビデオプロジェクタであることを特徴とする請求項１から４のいずれか一項に記載のコンピュータ。
【請求項１０】
前記第１の要素の接続手段は、前記コンピュータ画面又は前記ビデオプロジェクタにおける対応するプラグに接続するための、ＶＧＡ若しくはＳＶＧＡソケット、又は他のメス型ビデオコネクタからなることを特徴とする請求項９記載のコンピュータ。
【請求項１１】
前記第１の要素（２）は、ＶＧＡ若しくはＳＶＧＡプラグ、又は他のビデオ若しくはオス型コネクタをさらに含む差込の形態をとることを特徴とする請求項１０記載のコンピュータ。
【請求項１２】
前記第１の要素（２）の接続手段（９）は、前記コンピュータ画面又は前記ビデオプロジェクタにおける対応するコネクタに接続するための、アナログ又はデジタルの音声ビデオ信号及び／又はデータ用コネクタからなることを特徴とする請求項９記載のコンピュータ。
【請求項１３】
前記第３の要素は、ハイファイデッキ、対応する音響キャビネットがある音響アンプ、カーラジオ、ラジオ、ウォークマン、音楽レコーダ、又は他の任意の音響再生、伝送及び録音システムのような、音響のみを再生する要素であることを特徴とする請求項１から４のいずれか一項に記載のコンピュータ。
【請求項１４】
前記第１の要素の接続手段は、前記音響再生、伝送又は録音システムにおける対応するコネクタに接続するための、アナログ又はデジタルの音声信号及び／又はデータ用コネクタからなることを特徴とする請求項１３記載のコンピュータ。
【請求項１５】
前記請求項のいずれか一項に記載のコンピュータとともに用いる通信方法であって、前記第２の要素（３）を、
・前記リモート・ネットワーク（６）と前記第１の要素（２）（中央ユニット）との間の通信ゲートウェイ、
・前記第２の要素（３）のユーザが、前記第１の要素（２）（中央ユニット）により受信されて解釈されるコマンドを送出するための手段、
として同時に用いることを含むことを特徴とする方法。
【発明の詳細な説明】
【技術分野】
【０００１】
本発明は、コンピュータの分野に関する。
【０００２】
コンピュータは、その最もよく見られる形態において、いくつかの要素を備えており、特に、中央ユニット（マイクロプロセッサ、ハードディスク、ＲＡＭメモリ等）、入力装置（例えば、キーボード）、表示手段、音響再生手段、及びリモート・ネットワーク（例えば、インターネット）との通信用のインタフェースを、備えている。
【０００３】
このような複数の要素があるため、コンピュータのコストが比較的高くなり、使用するのにかなり不便となり、及び／又は、その運搬が難しくなってしまう。
【０００４】
本発明は、特に、上記の問題に対処することを目的とする。
【０００５】
その目的は、リモートのユーザ又はネットワークと通信する手段として現行の設備を利用可能な携帯型のマイクロコンピュータを、製造可能とすることにある。
【０００６】
現在の移動電話機、ポケットコンピュータ（電子手帳型）、テレビ、コンピュータ画面、ビデオプロジェクタが、広く一般に普及していることが、わかっている。
【０００７】
そこで、本発明は、複数の要素の存在により利益を得ることを目的とする。本発明は、中央ユニット、入力装置（例えば、キーボード、及び／又はマウス、タッチスクリーン、又は他のポインティング若しくは入力装置）、リモート・ネットワークとの通信用のインタフェース、及びディスプレイ及び／又は音響再生手段を備えたコンピュータであり、このコンピュータは、以下の３つの独立した要素：
ａ）コンピュータプログラムを格納及び実行する手段並びにデータを格納する手段を含む前記中央ユニットを備えた第１の要素、
ｂ）前記データ入力装置、リモート・ネットワークとの（有線又はワイヤレス）通信用の前記インタフェース、及び前記第１の要素との（例えば、無線又は赤外線による）ワイヤレス伝送手段を備えた第２の要素、
ｃ）前記ディスプレイ手段及び／又は前記音響再生手段、及び前記第１の要素への接続手段を備えた第３の要素、
を備え、
前記第１の要素は、縮小サイズ（ポケット型）であり、前記第３の要素への接続手段と、前記第２の要素により送信された信号及びそれぞれ受信された信号を受信及びそれぞれ送信する手段とをさらに備えたことを特徴とするコンピュータに関するものである。
【０００８】
第２の要素は、
・前記リモート・ネットワークと前記第１の要素との間の通信ゲートウェイ、
・前記第２の要素のユーザが、前記第１の要素により受信されて解釈されるコマンドを送出するための手段、
として同時に機能する。
【０００９】
例えば、本発明によるマイクロコンピュータは、テレビの画面をディスプレイ装置として、テレビに対応した音響キャビネットを音響再生要素として、移動電話機のキーパッド又はタッチスクリーンをユーザインタフェースとして使用可能であり、無線通信インタフェースは、リモート通信ネットワークにアクセスするゲートウェイとしても機能するこの同じ移動電話機を通じて、もたらされる。
【００１０】
さらに、本発明のコンピュータで得られる結果により、最先端の技術のコンピュータよりも高性能なアセンブリが、もたらされる。特に、このマイクロコンピュータは、例えば、接続しているテレビのハイファイ音響キャビネットで音響を再生可能であるか、あるいは、ビデオプロジェクタを用いた大画面を提供可能である。
【００１１】
以降、限定とはならない本発明のいくつかの例示的な実施形態を、以下の図面を用いて説明する。
【００１２】
図１に表された装置は、中央ユニットを備えた第１の要素２と、移動電話機３と、通常のテレビ受像機１２とからなる。
【００１３】
ワイヤレス通信インタフェース１（例えば、ブルートゥース８０２．１１ｂ型等）が、移動電話機３に接続しているか、あるいは、移動電話機３内に組み込まれている。
【００１４】
移動電話機３は、リモート・ネットワーク６に接続した固定アンテナ５とのワイヤレスデータ伝送を、その標準的な通信インタフェースを（例えば、ＧＳＭ、ＧＰＲＳ、ＵＭＴＳ等）用いて実行することにより、リモートの通信ネットワーク６（例えばインターネット）とのリンクを張ることができる。
【００１５】
第１の要素２は、移動電話機３のインタフェース１を通じて、リモート・ネットワーク６上にあるデータにアクセスすることができる。この場合、移動電話機３は、リモート・ネットワーク６と第１の要素２との間の通信ゲートウェイとして動作する。
【００１６】
第１の要素２は、サイズが小さいので、テレビ受像機１２の信号入力に対して、固定的又は着脱可能な方式で、接続可能である。図１に示す例では、第１の要素２は、テレビ受像機１２のＳＣＡＲＴソケット９に対して固定されている。従って、第１の要素は、音声及びビデオ信号を、同テレビ１２へと送出可能である。
【００１７】
必要であれば、ビデオの送信元（例えばビデオレコーダ８）からの他のケーブル７が、第１の要素２に接続可能である。この場合、第１の要素２は、ビデオレコーダ８とモニタ１２との間の信号伝達に備え、システムの通常の動作が可能となる。
【００１８】
第１の要素２に含まれたワイヤレス通信インタフェースにより、移動電話機３における対応するインタフェース１とのデータ交換が可能となる。
【００１９】
移動電話機３内に格納されたコンピュータプログラムにより、ユーザは、自分の移動電話機３を用いて、必要なコマンドを第１の要素２へと入力及び送出可能となる。移動電話機３には、第１の要素２へと送出するためのコマンドのメニュー（例えば、そのメニューは、移動電話機３の表示画面上に表示可能）が、含まれている。このように、ユーザは、移動電話機３のキーパッドを用いて、所望のコマンドを選択及び実行可能である。
【００２０】
コマンドにより、移動電話機３のユーザは、自分の電話機をゲートウェイにすることが可能となる。これにより、第１の要素２は、リモート・ネットワークに接続可能となる。例えばインターネット・ネットワーク６に、移動電話ネットワークの固定施設５を通じ、移動電話機３を通じ、そして、他のワイヤレス通信インタフェース１を通じて、接続可能となる。
【００２１】
このように、第１の要素２は、例えばインターネット６へと接続可能である。
【００２２】
図２に、第１の要素２について詳述する。それは、小さな筐体からなり、好ましくはポケット型に構成されている。これに対して、外部のテレビ、ビデオプロジェクタ、又はコンピュータモニタへの電子的接続用のシステムが、固定されている。
【００２３】
例えば、テレビへの接続の場合、メスのＳＣＡＲＴコネクタ２．１が左の部分に対して固定され、オスのＳＣＡＲＴコネクタ２．２が右の部分に対して接続されている。
【００２４】
音声及びビデオ電子信号は、コネクタ２．１を通り、変更されることなく電子素子２．５を通過し、コネクタ２．２に至ることにより、第１の要素２を通過可能である。従って、図１に示すように、第１の要素２は、コネクタ２．２をテレビのＳＣＡＲＴソケット９に接続することにより、テレビに接続可能である。
【００２５】
同様に、テレビ１２へと通常到達するオプションケーブル（例えば、ビデオレコーダ８又は他の信号源からのケーブル７）は、第１の要素２に対して固定されたコネクタ２．１により、テレビ１２に接続可能である。
【００２６】
例えば、第１の要素２は、ある場所から他の場所へと、ポケットに入れて容易に持ち運び可能であり、一時的使用のためにであっても、この種の接続を有するあらゆるテレビのコネクタに、直接接続可能である。この種の接続は標準化されているので、第１の要素２は、多くの標準的なテレビに取付可能である。
【００２７】
第１の要素２には、外部機器（例えば移動電話機３）と第１の要素２内に格納されたマイクロプロセッサベースの電子システム２．４との間のワイヤレスデータ伝送を確立可能な通信インタフェース２．３が、含まれている。
【００２８】
マイクロプロセッサベースのシステム２．４は、それが実行するコンピュータプログラムにより、特に、以下の動作が可能である。
【００２９】
・電話機３からのコマンドを解釈する。なお、これらのコマンドは、移動電話機３を実行するユーザにより生成される。
【００３０】
・リモート・ネットワーク上で探していたデータを解釈する。
【００３１】
このように、例えば、移動電話機３のユーザにより生成されたコマンドは、システム２．４の内部で、インターネットブラウザ型のプログラムの実行を開始することになる。
【００３２】
例えば、このブラウザは、（移動電話機３を通じて）リモート・ネットワークからデータを取得する。これらのデータは、インターネットブラウザプログラムにより解釈され、結果としてのインターネットのページも、２．４により対応する音響及びビデオ信号へと変換される。なお、その音響及びビデオ信号は、そこで表示されてテレビ１２へと返却されるように、送出される
また、テレビ１２は、音響再生用の内蔵型音響キャビネットを有していてもよい。
【００３３】
オプション素子２．５は、２．１と２．２との間、あるいは、２．４と２．２との間（制御されたルーティング）の双方向通信を確立するため、システム２．４により制御可能である。
【００３４】
第１の要素２は、ユーザが第１の要素２を、入れたり、切り離したり、リセットできるようにする１つ又はそれ以上のスイッチ２．６を、備えうる。第１の要素２は、外部電源により電源供給可能であるか、あるいは、コネクタ２．１及び／又はコネクタ２．２を媒介するものを通じて、そこに接続した機器により電源供給可能である。
【００３５】
本文献で言及されるＳＣＡＲＴコネクタは、可能な変形例の説明のためであるので、第１の要素２を音響及び映像再生要素４に接続するのに、他のあらゆる種類のアナログ又はデジタル音声／ビデオコネクタで置換されてもよい。
【００３６】
他の変形例の実施では、ビデオ部分は、第１の要素２により処理されることはなく、音響部分のみが処理される。そして、第１の要素２は、音響再生要素４（テレビ−その音響再生部分のみが用いられる）へと、あるいは、要素４と置換すべきハイファイデッキ、ラジオ等の他の音響再生システムへと、接続可能である。
【００３７】
他の実施の変形例では、音声及びビデオ接続は、第１の要素２を音響及び映像再生要素４に接続するために、他のワイヤレス通信インタフェースで置換される。
【００３８】
移動電話機３は、例として言及されており、あらゆるコンピュータ、ポケット電子手帳、携帯型のコンピュータ、又はオフィスコンピュータ、及び、上述のようなワイヤレスリンクを張ることができる他の電子機器で、置換可能である。
【００３９】
使用の変形例では、移動電話機３の２つのワイヤレスインタフェースは、同一のワイヤレスインタフェース上の２つの無線チャネルで、置換可能である。
【００４０】
他の使用の変形例では、移動電話機３の２つのワイヤレスインタフェースは、無線型のワイヤレスインタフェース及び赤外線インタフェースで、置換されてもよい。
【００４１】
他の使用の変形例では、移動電話機３の２つのワイヤレスインタフェースは、２つの赤外線インタフェースで、置換されてもよい。
【００４２】
使用の一変形例では、何種類かの移動電話機３が、何人かのユーザにより同時に使用されてもよい。この場合、１台又は複数台の電話機がコマンド信号を第１の要素２へと送出するように、１台又は複数台の電話機が、第１の要素２をリモート・ネットワークに接続するゲートウェイとして、動作してもよい。
【００４３】
他の実施の変形例では、音声及びビデオ接続２．１及び／又は２．２は、装置４とのワイヤレス通信用の他のインタフェースで、置換される。
【００４４】
以下は、限定とはならない本発明によるコンピュータのいくつかの動作例である。
【００４５】
〔インターネットへの接続〕
ユーザは、第１の要素２を、テレビ、コンピュータ画面、ビデオプロジェクタ、ビデオ映像を表示可能な眼鏡、又はビデオ映像を表示可能かつオプションで音響再生可能な他の任意の機器に、接続する。
【００４６】
ユーザは、自分の移動電話機３内に格納されているプログラムを起動する。使用の一変形例では、このプログラムは、例えばアプレットの形態で、第１の要素２により電話機３へと送出されて利用可能となる。
【００４７】
このプログラムは、実行時に、リモート・ネットワーク６と第１の要素２内に格納されたマイクロプロセッサベースのシステム２．４との間に、通信チャネルを開く。
【００４８】
そして、信号は、以下の点により規定される以下のパスを通過してゆく。
【００４９】
リモート・ネットワーク６、固定の施設５、移動電話機３（そのＧＳＭ又はＧＰＲＳ又はＵＭＴＳワイヤレスインタフェース等）、そして、移動電話機３の他のワイヤレスインタフェース１を通じて、第１の要素２のワイヤレスインタフェース２．３へと進み、該ワイヤレスインタフェース２．３は、マイクロプロセッサベースの素子２．４へと信号を送出する。
【００５０】
この手段を通じて、ユーザは、例えば、システムをマイクロプロセッサ２．４からインターネット６へと接続可能である。
【００５１】
注目すべき方式で、自身の電話機３により、ユーザは、リモート・ネットワークから素子２．４へとデータをダウンロードするのと同時に、同システム２．４へとコマンドを送出可能である。例えば、コマンドは、機器３におけるキーボード、タッチスクリーン、マウス、又は音声認識システムで入力されて、リモート・ネットワークから到来したデータと同じパスを通じて、２．４へとへと伝達される。
【００５２】
例えば、コマンドは、２．４に対して、ユーザが指定したアドレスに対応したウェブサイトを調べるように命令するために送出可能である。システム２．４は、接続を確立し、そこにデータをダウンロードし、それを解釈して、ウェブページを表すビデオ及び／又は音響信号を生成する。このような信号は、テレビ上に表示され、その音響が音響キャビネットで再生されてもよい。
【００５３】
注目すべき方式で、移動電話機及び通常のテレビを既に持っているユーザは、第１のポケット要素２により、インターネットを調べることができる。
【００５４】
〔ゲーム・プラットフォーム〕
ユーザは、第１の要素２を、テレビ、コンピュータ画面、ビデオプロジェクタ、又はビデオ映像を表示可能かつオプションで音響再生可能な他の任意の機器に、接続する。
【００５５】
ユーザは、自分の移動電話機３内に格納されているプログラムを起動する。使用の一変形例では、このプログラムは、例えばアプレットの形態で、第１の要素により電話機３へと送出されて利用可能となる。
【００５６】
このプログラムは、実行時に、リモート・ネットワーク６と第１の要素２内に格納されたマイクロプロセッサベースのシステム２．４との間に、通信チャネルを開く。
【００５７】
そして、信号は、以下の点により規定される以下のパスを通過してゆく。
【００５８】
リモート・ネットワーク６、固定の施設５、移動電話機３（そのＧＳＭ又はＧＰＲＳ又はＵＭＴＳワイヤレスインタフェース等）、そして、移動電話機３の他のワイヤレスインタフェース１を通じて、装置のワイヤレスインタフェース２．３へと進み、該ワイヤレスインタフェース２．３は、マイクロプロセッサベースの素子２．４へと信号を送出する。
【００５９】
この手段を通じて、ユーザは、例えば、マイクロプロセッサベースのシステム２．４をインターネット６に接続可能である。ユーザは、同時に、同システム２．４へとコマンドを送出可能である。例えば、コマンドは、機器３におけるキーボード、タッチスクリーン、又はマウスで入力されて、リモート・ネットワークから到来したデータと同じパスを通じて、２．４へとへと伝達される。
【００６０】
コマンドは、ユーザが自分の電話機３で２．４に対して、インターネットにあるウェブサイトからゲームをダウンロードするように命令するために送出可能である。
【００６１】
第１の要素２内にあるシステム２．４は、接続を確立し、所望のゲームをダウンロードし、それを起動する。
【００６２】
映像及びオプションとしてそれに伴う音響が、システム２．４により生成されて、それに接続したディスプレイ装置４上に表示される。音響信号が存在する場合、該音響信号は、使用されるディスプレイ４に対応した音響キャビネット（例えばテレビの音響キャビネット）により、再生される。
【００６３】
同時に、中央ユニット２．４は、小規模のプログラム（例えばアプレット）を、参加している各プレーヤの移動電話機へと送出する。
【００６４】
このプログラムは、実行時に、各ユーザが自分の電話機をジョイスティックとして使用できるようにする。電話機のあるキーを押下することにより、各電話機３のワイヤレスインタフェース１を通じてユニット２．４へと情報を送出することを、起動することにもなる。このユニットは、それぞれの信号を、各プレーヤについてのゲーム制御コマンドとして解釈する。
【００６５】
このように、プレーヤは、自分の移動電話機３により、ゲームをダウンロード可能であり、それをユニット２．４に実行させて、いくつものプレイを共に楽しむことができる。
【図面の簡単な説明】
【００６６】
【図１】本発明によるコンピュータの一実施形態の説明図。
【図２】第１の要素の一実施形態の説明図。
【国際公開パンフレット】
2004528785.tif 000003
2004528785.tif 000004
2004528785.tif 000005
2004528785.tif 000006
2004528785.tif 000007
2004528785.tif 000008
2004528785.tif 000009
2004528785.tif 000010
2004528785.tif 000011
2004528785.tif 000012
2004528785.tif 000013
2004528785.tif 000014
2004528785.tif 000015
2004528785.tif 000016
2004528785.tif 000017
2004528785.tif 000018
2004528785.tif 000019
【国際調査報告】
2004528785.tif 000020
2004528785.tif 000021
2004528785.tif 000022
2004528785.tif 000023
2004528785.tif 000024